(57)【要約】【課題】金属製の反射部材を使用しても照明光にギラツキ感が生じないで、且つ、照明光の輝度の向上を図ることができるようにし、照明品位の向上を図る。【解決手段】面光源装置１は、入射面８から入射した光を出射面３から面状に出射する導光板２と、この導光板２の入射面８に対向するように配置される蛍光ランプ１０と、この蛍光ランプ１０を内部に収容し、この蛍光ランプ１０の光を反射して導光板２の入射面８に導く金属製リフレクター１１と、を備えている。この面光源装置１の金属製リフレクター１１は、導光板２の出射面３で且つ前記入射面８側の位置に当接する出射面側抑え部分１６と、導光板２の裏面１３を支える裏面側支持部分１７と、を備えている。そして、この反射部材は、少なくとも、出射面側抑え部分１６の蛍光ランプ１０に対向する面に光拡散化処理が施されている。【選択図】　　　　図１
2004071425.tif 000002
【特許請求の範囲】
【請求項１】
一方の側面から入射した光を前記一方の側面に対して略直交する出射面から面状に出射する導光板と、
この導光板の前記一方の側面に対向するように配置される光源と、
この光源を内部に収容し、この光源の光を反射して前記導光板の前記一方の側面に導く金属製の反射部材と、
を備えた面光源装置において、
前記反射部材は、
前記導光板の出射面で且つ前記一方の側面側に当接する出射面側抑え部分と、前記導光板の出射面と反対側の面を支える裏面側支持部分と、を備え、
少なくとも、前記出射面側抑え部分の光源に対向する面に光拡散化処理が施されたことを特徴とする面光源装置。
【請求項２】
一方の側面から入射した光を前記一方の側面に対して略直交する出射面から面状に出射する導光板と、
この導光板の前記一方の側面に対向するように配置される光源と、
この光源を内部に収容し、この光源の光を反射して前記導光板の前記一方の側面に導く金属製の反射部材と、
を備えた面光源装置において、
前記反射部材の前記光源に対向する面に光拡散化処理が施されたことを特徴とする面光源装置。
【請求項３】
一方の側面から入射した光を前記一方の側面に対して略直交する出射面から面状に出射する導光板と、
この導光板の前記一方の側面に対向するように配置される光源と、
この光源を内部に収容し、この光源の光を反射して前記導光板の前記一方の側面に導く金属製の反射部材と、
を備えた面光源装置において、
前記反射部材は、前記導光板の出射面側に位置する部位で且つ光源に対向する面と、前記導光板の出射面と反対側の面側に位置する部位で且つ光源に対向する面とに、光拡散化処理が施されたことを特徴とする面光源装置。
【請求項４】
前記請求項１〜３のいずれかに記載の面光源装置と、この面光源装置からの面状の出射光で照明される画像表示部と、を備えたことを特徴とする画像表示装置。
【請求項５】
光反射性に優れた金属で形成され、導光板の側面に対向するように配置された光源の光を反射し、光源からの光を導光板の側面側に導くようになっている面光源装置の反射部材であって、
前記導光板の出射面で且つ前記側面側に当接する出射面側抑え部分と、前記導光板の出射面と反対側の面を支える裏面側支持部分と、を備え、
少なくとも、前記出射面側抑え部分の前記光源に対向する面に光拡散化処理が施されたことを特徴とする面光源装置の反射部材。
【請求項６】
光反射性に優れた金属で形成され、導光板の側面に対向するように配置された光源の光を反射し、光源からの光を導光板の側面側に導くようになっている面光源装置の反射部材であって、
前記光源に対向する面に光拡散化処理が施されたことを特徴とする面光源装置の反射部材。
【請求項７】
光反射性に優れた金属で形成され、導光板の側面に対向するように配置された光源の光を反射し、光源からの光を導光板の側面側に導くようになっている面光源装置の反射部材であって、
前記導光板の出射面側に位置する部位で且つ光源に対向する面と、前記導光板の出射面と反対側の面側に位置する部位で且つ光源に対向する面とに、光拡散化処理が施されたことを特徴とする面光源装置の反射部材。
【発明の詳細な説明】
【０００１】
【発明の属する技術分野】
この発明は、携帯型パソコンやナビゲーション装置等に使用される液晶表示パネル等の画像表示部を照明する面光源装置やこの面光源装置を備えた画像表示装置及び面光源装置の反射部材に関するものである。
【０００２】
【従来の技術】
例えば、画像表示装置としての液晶表示装置は、携帯型パソコン等に使用され、面光源装置から出射される面状の照明光を液晶表示パネル（画像表示部）に照射し、液晶表示パネルの表面上に画像を表示させるようになっている。
【０００３】
図６は、このような液晶表示装置１００に使用される面光源装置１０１の一例を示すものである。この図６に示す面光源装置１０１は、導光板１０２と、この導光板１０２の一方の側面（入射面）１０３に対向するように配置された蛍光ランプ（光源）１０４と、導光板１０２の下面１０２ａ側に配置された反射シート１０５と、導光板１０２の上面１０２ｂ側に配置されたプリズムシート１０６と、蛍光ランプ１０４を囲むように配置されたリフレクター（反射部材）１０７と、を備えている。
【０００４】
このように構成された面光源装置１０１は、蛍光ランプ１０４から発せられた光が導光板１０２の入射面１０３から導光板１０２の内部に入射し、この導光板１０２の内部に入射した光が導光板１０２の上面１０２ｂと下面１０２ａで反射されながら導光板１０２の内部を伝搬されるうちに、導光板１０２の上面１０２ｂや下面１０２ａに対して臨界角以下になった光が導光板１０２の上面１０２ｂ又は下面１０２ａから導光板１０２の外部に出射する。この出射光のうちで導光板１０２の下面１０２ａ側から出射する光は、反射シート１０５で反射されて導光板１０２の内部に再度入射し、その後直接又は上記の如き振舞を繰り返して導光板１０２の上面１０２ｂから導光板１０２の外部に出射する。そして、導光板１０２の上面１０２ｂから出射した光は、プリズムシート１０６を通過することによりその進行方向が液晶表示パネル１０８側に補正され、液晶表示パネル１０８を効率的に照射する。
【０００５】
【発明が解決しようとする課題】
このような面光源装置１０１は、近年、照明輝度を向上するための様々な工夫が施されており、例えば、合成樹脂製（例えば、ＰＥＴ）のリフレクターの代わりに、光反射性に優れた金属製のリフレクターを使用することが多くなってきている。
【０００６】
しかし、この金属製のリフレクターは、光反射性が優れているために照明輝度の向上は望めるが、導光板の出射面から出射する照明光にギラツキ感が生じ、ＰＥＴ（ポリエチレンテレフタレート）のリフレクターを使用した場合に比較し、発光面品位が低下するという問題を有していた。
【０００７】
そこで、本発明は、照明光のギラツキ感を目立ち難くすることができ、且つ、照明光の輝度の向上を図ることができる反射部材を提供することを目的としている。また、このような反射部材を備えた面光源装置及び画像表示装置を提供することを目的としている。
【０００８】
【課題を解決するための手段】
請求項１の発明は、一方の側面から入射した光を前記一方の側面に対して略直交する出射面から面状に出射する導光板と、この導光板の前記一方の側面に対向するように配置される光源と、この光源を内部に収容し、この光源の光を反射して前記導光板の前記一方の側面に導く金属製の反射部材と、を備えた面光源装置に関するものである。この面光源装置の前記反射部材は、前記導光板の出射面で且つ前記一方の側面側に当接する出射面側抑え部分と、前記導光板の出射面と反対側の面を支える裏面側支持部分と、を備えている。そして、この反射部材は、少なくとも、前記出射面側抑え部分の光源に対向する面に光拡散化処理が施されている。
【０００９】
請求項２の発明は、一方の側面から入射した光を前記一方の側面に対して略直交する出射面から面状に出射する導光板と、この導光板の前記一方の側面に対向するように配置される光源と、この光源を内部に収容し、この光源の光を反射して前記導光板の前記一方の側面に導く金属製の反射部材と、を備えた面光源装置に関するものである。そして、この面光源装置は、前記反射部材の前記光源に対向する面に光拡散化処理が施されたことを特徴としている。
【００１０】
請求項３の発明は、一方の側面から入射した光を前記一方の側面に対して略直交する出射面から面状に出射する導光板と、この導光板の前記一方の側面に対向するように配置される光源と、この光源を内部に収容し、この光源の光を反射して前記導光板の前記一方の側面に導く金属製の反射部材と、を備えた面光源装置に関するものである。そして、この面光源装置の前記反射部材は、前記導光板の出射面側に位置する部位で且つ光源に対向する面と、前記導光板の出射面と反対側の面側に位置する部位で且つ光源に対向する面とに、光拡散化処理が施されたことを特徴としている。
【００１１】
請求項４の発明に係る画像表示装置は、前記請求項１〜３のいずれかの発明に係る面光源装置と、この面光源装置からの面状の出射光で照明される画像表示部と、を備えたことを特徴としている。
【００１２】
請求項５の発明は、光反射性に優れた金属で形成され、導光板の側面に対向するように配置された光源の光を反射し、光源からの光を導光板の側面側に導くようになっている面光源装置の反射部材に関するものである。この面光源装置の反射部材は、前記導光板の出射面で且つ前記側面側に当接する出射面側抑え部分と、前記導光板の出射面と反対側の面を支える裏面側支持部分と、を備えている。そして、この面光源装置の反射部材は、少なくとも、前記出射面側抑え部分の前記光源に対向する面に光拡散化処理が施されたことを特徴としている。
【００１３】
請求項６の発明は、光反射性に優れた金属で形成され、導光板の側面に対向するように配置された光源の光を反射し、光源からの光を導光板の側面側に導くようになっている面光源装置の反射部材に関するものである。そして、この面光源装置の反射部材は、前記光源に対向する面に光拡散化処理が施されたことを特徴としている。
【００１４】
請求項７の発明は、光反射性に優れた金属で形成され、導光板の側面に対向するように配置された光源の光を反射し、光源からの光を導光板の側面側に導くようになっている面光源装置の反射部材に関するものである。この面光源装置の反射部材は、前記導光板の出射面側に位置する部位で且つ光源に対向する面と、前記導光板の出射面と反対側の面側に位置する部位で且つ光源に対向する面とに、光拡散化処理が施されたことを特徴としている。
【００１５】
【発明の実施の形態】
以下、本発明の実施の形態を図面に基づき詳述する。
【００１６】
［第１の実施の形態］
（面光源装置の概略構成）
図１〜図３は、本発明の実施の形態に係る面光源装置１に関するものである。このうち、図１は、本実施の形態に係る面光源装置１の分解斜視図である。又、図２は、本実施の形態に係る面光源装置１の縦断面図であり、導光板２の出射面３側に光制御部材４，５を配置した例を示す面光源装置１の縦断面図である。又、図３は、図２の一部拡大図であり、図２の光制御部材４，５を省略して示す面光源装置１の一部拡大図である。これらの図において、反射シート６及び導光板２がフレーム７内に重ねて収容されると共に、導光板２の出射面３側に必要に応じて光制御部材（例えば、プリズムシート，拡散シート，保護シート等）４，５が重ねて配置されている。そして、導光板２の一方の側面（入射面）８側に対向するように蛍光ランプ（光源）１０が配置されており、この蛍光ランプ１０が金属製のリフレクター（反射部材）１１内に収容されている。
【００１７】
（リフレクター）
リフレクター１１は、図１〜図３に詳細を示すように、一枚の光反射性に優れたステンレスやアルミ合金等の薄板状金属製部材を折り曲げて形成されており、導光板２の入射面８に対向する部分が開口し、且つ、導光板２の幅方向にも開口するようになっている。このリフレクター１１は、導光板２の出射面３側に位置する上辺部１２と、導光板２の裏面（出射面と反対側の面）１３側に位置する下辺部１４と、これら上辺部１２と下辺部１４とを接続する側壁部１５と、を備えている。
【００１８】
このうち、上辺部１２は、導光板２の入射面８近傍の位置で下辺部１４側へ向けて折り曲げられ、導光板２の出射面３とほぼ平行の平面部分である出射面側抑え部分１６が形成されている。この出射面側抑え部分１６は、導光板２の出射面３側で且つ入射面（一方の側面）８近傍の位置に当接するようになっており、導光板２の幅方向のほぼ全域に接触するようになっている。
【００１９】
また、下辺部１４は、導光板２の入射面８近傍の位置で上辺部１２側へ向けて折り曲げられ、導光板２の裏面（出射面３と反対側の面）１３とほぼ平行の平面部分である裏面側支持部分１７が形成されている。この裏面側支持部分１７は、反射シート６の蛍光ランプ１０側の裏面で且つ導光板２の幅方向に沿った位置に当接するようになっており、反射シート６の幅方向のほぼ全域に接触するようになっている。
【００２０】
そして、リフレクター１１の出射面側抑え部分１６と裏面側支持部分１７との間に、反射シート６及び導光板２の一端側を挟み込むようになっている。尚、このリフレクター１１は、弾性変形が可能であり、上辺部１２を僅かに弾性変形（側壁部１５側の端部を起点として撓み変形）させた状態で反射シート６及び導光板２が組み付けられるようになっており、下辺部１４の裏面側支持部分１７が反射シート６の裏面側に密接し、上辺部１２の出射面側抑え部分１６が導光板２の出射面３に密接するようになっている。
【００２１】
このリフレクター１１の蛍光ランプ１０に対向する面（内面と略称する）には、図３に一部を拡大して示すように、光反射性に優れた金属（銀，ニッケル，クロム等）の蒸着膜１８が形成され、その金属蒸着膜１８の表面に光透過性に優れた樹脂被膜（例えば、ＰＥＴ、ＰＣ等の被膜）２０が形成されている。そして、この樹脂被膜２０の表面は、エンボス加工（図３の部分拡大図参照）や梨地面加工（図１の部分拡大図参照）等によって粗面化され、光を拡散反射する光拡散化処理が施された光拡散化処理部２１になっている。したがって、蛍光ランプ１０からの光は、導光板２の入射面８から直接内部に入射する光を除き、リフレクター１１の表面（太線で示す光拡散化処理部２１）で拡散された光が導光板２の入射面８から入射する。その結果、導光板２を介して出射される照明光のギラツキ感を抑えることができる。また、導光板２の入射面８の上側エッジ２２近傍において、蛍光ランプ１０からの光はリフレクター１１の光拡散化処理部２１で拡散されるため、導光板２の上側エッジ２２から導光板２内部に入射する光が少なくなり、導光板２の上側エッジ２２から入射する光に起因して生じる輝線が目立ちにくくなる。
【００２２】
（反射シート）
反射シート６は、図１〜図３に示すように、優れた反射性を有する白色ＰＥＴシートで形成されており、導光板２の裏面１３から出射した光を導光板２側へ反射して戻すようになっている。この反射シート６は、導光板２の入射面８よりも蛍光ランプ１０側へ出っ張り、リフレクター１１の裏面側支持部分１７で支持されており、導光板２の下側エッジ２３を遮光し、導光板２の下側エッジ２３から入射する光に起因して生じる輝線の発生を防止できる。したがって、この反射シート６を使用した面光源装置１は、上述のリフレクター１１による光の拡散反射効果と相俟って、輝線の発生をより一層効果的に防止できる。尚、反射シート６の導光板２の裏面１３に対向する面には、必要に応じて光拡散用のドット状ペイント層やシボ面等を形成したり、黒又は灰色等の光拡散パターンを適宜施すようにして、リフレクター１１の光拡散化処理部２１との相乗効果による発光面品位の向上を図るようにしてもよい。
【００２３】
（導光板）
導光板２は、図１〜図３に示すように、光透過性に優れたアクリル樹脂等の合成樹脂を射出成形することにより、出射面３が略矩形状であり、且つ断面形状が略楔形形状に形成されており、蛍光ランプ１０から遠ざかるにしたがって板厚が薄くなるように形成されている。尚、導光板２の裏面１３には、入射面８から遠ざかる方向に延びる断面略三角形状のプリズム突起２４が入射面８に沿って多数平行に形成されている。また、本実施の形態において、導光板２の入射面８を粗面化し、入射面８近傍の出射光量を調整して、リフレクター１１の光拡散化処理部２１との相乗効果により、出射光の明暗が繰り返し生じる現象（写り込み現象）を抑えるようにしてもよい。又、導光板２の出射面３や裏面１３には、光拡散性のインク（例えば、炭酸マグネシウム、酸化チタン等を顔料とするインク）を選択的に付着させたり、梨地面（シボ面）を部分的に形成し、光を拡散させることにより出射光量を調整して、リフレクター１１の光拡散化処理部２１との相乗効果により、発光面品位を向上させるようにしてもよい。
【００２４】
（プリズムシート）
光制御部材としてのプリズムシート４は、必要に応じて選択的に使用されるものであり、図２に示すように、ポリカーボネート等の透光性のシート材で形成されており、導光板２に対向する面（下面）に断面略三角形状のプリズム突起２５が多数連続して形成されている。尚、このプリズムシート４のプリズム突起２５は、導光板２の入射面８と略平行する方向へ延びており、導光板２から出射した光の進行方向を補正し、液晶表示パネル（画像表示部）２６を面状に効率的に照射できるように工夫されている。
【００２５】
（保護シート）
光制御部材としての保護シート５は、必要に応じて選択的に使用されるものであり、図２に示すように、ポリカーボネート等の透光性のシート材で形成されており、プリズムシート４の出射面を保護するために使用されるが、光拡散用のシボ面等を形成し、出射光を拡散させるようにしてもよい。
【００２６】
（フレーム）
フレーム７は、図２〜図３に示すように、内部に反射シート６，導光板２，蛍光ランプ１０及びリフレクター（反射部材）１１を収容することができると共に、導光板２の出射面３側に光制御部材としてのプリズムシート４及び保護シート５を重ねて収容でき、更に保護シート５の上面側に液晶表示パネル２６を重ねて配置できるようになっている。ここで、フレーム７は、ＰＣ（ポリカーボネート）やＰＭＭＡ（ポリメタクリル酸メチル）等に白色の顔料を混練してなる合成樹脂を射出成形することにより形成されている。
【００２７】
（本実施の形態の作用・効果）
以上のように構成された本実施の形態の面光源装置１において、蛍光ランプ１０から発せられた光は、直接又はリフレクター１１で拡散反射されて導光板２の入射面８に導かれ、導光板２の入射面８から導光板２の内部に入射した後、導光板２内を伝播し、出射面３に対して臨界角以下になると出射面３から出射する。そして、導光板２から出射した光は、プリズムシート４で進行方向を補正され、保護シート５を透過した後、液晶表示パネル２６を面状に照明する。
【００２８】
ここで、本実施の形態の面光源装置１は、金属製リフレクター１１の内面に光拡散化処理を施すことにより、金属製リフレクター１１で反射されて導光板２の入射面８に案内される光が金属製リフレクター１１で反射される度に様々な方向に拡散されるようになっているため、表面が鏡面状態の金属製リフレクターを使用した場合に比較して、導光板２からの出射光にギラツキ感が生じにくくなり、照明品位が向上する。しかも、本実施の形態の面光源装置１は、金属製リフレクター１１の表面に光透過性に優れた樹脂被膜２０を形成し、その樹脂被膜２０に光拡散化処理を施して、光拡散化処理部２１を形成するようになっているため、金属の光の反射性能を損なうことなく、高品位で且つ高輝度の照明が可能になる。
【００２９】
また、本実施の形態の面光源装置１によれば、導光板２の入射面８の上側エッジ２２近傍において、蛍光ランプ１０からの光が金属製リフレクター１１の光拡散化処理を施された内面（光拡散化処理部２１）で拡散反射されるため、導光板２の上側エッジ２２から入射する光に起因する輝線の発生を抑えることができ、出射光に明暗の差が繰り返し生じるような不具合の発生を効果的に防止できる。したがって、本実施の形態の面光源装置１によれば、出射光を均一化でき、照明品位を向上させることができる。
【００３０】
［その他の実施の形態］
上述の第１の実施の形態は、金属製リフレクター１１の内面の全域に光拡散化処理を施して、光拡散化処理部２１を形成するようになっているが、例えば、図４の太線で強調した金属製リフレクター１１の内面の上辺部１２及び下辺部１４に限定して光拡散化処理して、金属製リフレクター１１の内面の一部に光拡散化処理部２１を形成するようにしてもよい。このような構成の面光源装置１によれば、金属リフレクター１１の光拡散化処理を施してない側壁部１５で反射された光のほとんどが上辺部１２又は下辺部１４で拡散反射された後に導光板２の入射面８に到達するため、上述の第１の実施の形態の面光源装置１と同様の作用効果を得ることができる。
【００３１】
また、上述の第１の実施の形態は、金属製リフレクター１１の内面の全域を光拡散化処理を施すようになっているが、図５の太線で強調した上辺部１２の出射面側抑え部分１６に限定して光拡散化処理を施して、金属製リフレクター１１の内面の一部分に光拡散化処理部２１を形成するようにしてもよい。ここで、平板形状の出射面側抑え部分１６は、導光板２の出射面３で且つ入射面８の近傍位置に密接するようになっており、しかも導光板２の入射面８よりも蛍光ランプ１０側の位置まで延びている。すなわち、光拡散化処理部２１の光源側端部が蛍光ランプ１０と入射面８との間に位置している。このような構成の面光源装置１によれば、金属製リフレクター１１の出射面側抑え部分１６で反射される光を拡散することができるため、金属製リフレクター１１の内面の全てを鏡面にした場合（光拡散化処理を施さなかった場合）に比較し、出射光のギラツキを抑え、導光板２の入射面８の上側エッジ２２からの入射光に起因する輝線の発生を抑えることができ、出射光の明暗の差によって生じる発光面品位の低下を防止できる。
【００３２】
また、上述の第１の実施の形態は、金属製リフレクター１１の内面に光反射性に優れた金属を蒸着した後、その金属蒸着膜１８上に光透過性に優れた樹脂被膜２０を形成し、その樹脂被膜２０にエンボス加工等の光拡散化処理を施して光拡散化処理部２１を形成するようになっているが、これに限られず、光透過性に優れた樹脂に微細な光拡散物質（母材となる樹脂とは異なる屈折率の光透過性を有する微細物質）を混入し、この光拡散物質を混入した樹脂で金属蒸着膜１８上に樹脂被膜２０を形成することにより、金属製リフレクター１１の内面を光拡散化処理するようにしてもよい。
【００３３】
また、上述の第１の実施の形態は、金属製リフレクター１１の内面に光反射性に優れた金属を蒸着した後、その金属蒸着膜１８上に光透過性に優れた樹脂被膜２０を形成し、この樹脂被膜２０に光拡散化処理を施すようになっているが、これに限られず、金属蒸着膜１８の表面に光拡散化処理を直接施すか、又は、金属製リフレクター１１の内面に光拡散化処理を直接施す（例えば、微細な凹凸痕を金属面に直接形成する）ようにしてもよい。
【００３４】
尚、ここで、本実施の形態の面光源装置１において、図２に示すように、フレーム７のパネル係合部２７に液晶表示パネル（画像表示部）２６を収容し、この液晶表示パネル２６をフレーム７に組み付けることにより、面光源装置１から出射される面状の照明光で液晶表示パネル２６上の画像を表示する画像表示装置２８が構成される。従って、画像表示装置２８の液晶表示パネル２６は、高品位で且つ高輝度の出射光で照明されることになり、ユーザーにとって見やすい高品位の画像表示が可能になる。
【００３５】
又、上記実施の形態において、断面が略楔形形状で且つ裏面１３にプリズム突起２４が形成された導光板２を例に採って説明したが、これに限られず、導光板２の出射面３と裏面１３が平行に形成されたものや、その他の適宜形状の導光板２が使用される。
【００３６】
又、上記実施の形態は、光源として蛍光ランプ１０を例に採って説明したが、これに限られず、多数の発光ダイオードを一列に並べたものを光源として使用するようにしてもよい。
【００３７】
又、上記実施の形態は、導光板２の出射面３側に１枚のプリズムシート４と保護シート５を配置する態様を示したが、これに限られず、導光板２の出射面３に拡散シートや、プリズム面が略直交するように組み合わされた２枚のプリズムシート等を適宜配置するようにしてもよい。
【００３８】
【発明の効果】
以上の説明から明らかなように、本発明は、金属製の反射部材に光拡散化処理を施すことにより、金属製の反射部材で反射されて導光板の入射面に案内される光が、金属製の反射部材の光拡散化処理を施された面で反射される度に様々な方向に拡散されるようになっているため、表面が鏡面状態の金属製の反射部材を使用した場合に比較して、導光板からの出射光にギラツキ感が生じにくくなり、発光面品位が向上し、高品位で且つ高輝度の照明が可能になる。
【００３９】
また、本発明は、導光板の入射面の近傍において、光源からの光が光拡散化処理を施された面で拡散反射されるため、導光板の入射面の上側エッジから入射する光に起因する輝線の発生を抑えることができ、出射光に明暗の差が繰り返し生じるような不具合の発生を効果的に防止できる。したがって、本発明によれば、出射光を均一化でき、照明品位を向上させることができる。
【図面の簡単な説明】
【図１】本発明の第１の実施の形態に係る面光源装置の分解斜視図である。
【図２】本発明の第１の実施の形態に係る面光源装置の縦断面図であり、導光板の入射面に直交する方向に切断して示す縦断面図である。
【図３】図２に示す面光源装置の光源側を拡大して示す断面図であり、図２において例示した光制御部材を省略して示す面光源装置の一部拡大断面図である。
【図４】本発明のその他の実施の形態の一例を示す面光源装置の一部拡大図である。
【図５】本発明のその他の実施の形態の他の一例を示す面光源装置の一部拡大図である。
【図６】従来の面光源装置の光源に直交する線に沿って切断して示す断面図である。
【符号の説明】
１……面光源装置、２……導光板、３……出射面、８……入射面（一方の側面）、１０……蛍光ランプ（光源）、１１……リフレクター（反射部材）、１６……出射面側抑え部分、１７……裏面側支持部分、２６……液晶表示パネル（画像表示部）、２８……画像表示装置
【図１】
2004071425.tif 000003
【図２】
2004071425.tif 000004
【図３】
2004071425.tif 000005
【図４】
2004071425.tif 000006
【図５】
2004071425.tif 000007
【図６】
2004071425.tif 000008